(57)【特許請求の範囲】
【請求項１】
擁壁部の下端に、少なくとも背面側に突出して設けられた底板部を下側にして立設された、プレキャストコンクリート製の擁壁構造体と、立設された擁壁構造体の底板部上を含む背面側に積み上げられた発泡ブロックの集合体とで１ユニットを構成する盛土が、上下に複数段重ねられていると共に、発泡ブロックの集合体が、相対的に硬質と軟質の硬質ブロックと通常ブロックで構成されている一方、
上下に相隣接する２つのユニットにおいて、
上段の擁壁構造体は、下段の擁壁構造体の擁壁部の上端との間に隙間を開け、底板部が、下段の擁壁部側から１列目に積まれた発泡ブロック上に載置されて立設されており、少なくとも下段の擁壁部側から１列目に積まれた発泡ブロックの最上部の発泡ブロックが硬質ブロックで、しかも該硬質ブロックの内側端部が上段の擁壁構造体の底板部より内側に突出していることを特徴とする盛土構造。
【請求項２】
擁壁部の下端に、少なくとも背面側に突出して設けられた底板部を下側にして立設された、プレキャストコンクリート製の擁壁構造体と、立設された擁壁構造体の底板部上を含む背面側に積み上げられた発泡ブロックの集合体とで１ユニットを構成する盛土が、上下に複数段重ねられていると共に、発泡ブロックの集合体が、相対的に硬質と軟質の硬質ブロックと通常ブロックで構成されている一方、
上下に相隣接する２つのユニットにおいて、
上段の擁壁構造体は、下段の擁壁構造体の擁壁部の上端との間に隙間を開け、底板部が、下段の擁壁部側から１列目と２列目に積まれた発泡ブロック上に跨って載置されて立設されており、少なくとも下段の擁壁部側から１列目と２列目に積まれた発泡ブロックの最上部の発泡ブロックが硬質ブロックで、しかも該２列目の硬質ブロックの内側端部が上段の擁壁構造体の底板部より内側に突出していることを特徴とする盛土構造。
【請求項３】
少なくとも最下段のユニットの擁壁部側から１列目又は１列目と２列目に積まれた発泡ブロックが総て硬質ブロックであることを特徴とする請求項１又は２に記載の盛土構造。
【請求項４】
３段以上のユニットが重ねられており、上から２番目のユニット及び該ユニットより下側のユニットの擁壁部側から１列目又は１列目と２列目に積まれた発泡ブロックが総て硬質ブロックであることを特徴とする請求項１〜３のいずれか１項に記載の盛土構造。
【請求項５】
上下に相隣接する２つのユニットにおいて、上段と下段の発泡ブロックの集合体間に、下段の発泡ブロック上に載置された上段の擁壁構造体の底板部による段差を吸収する厚みのコンクリート床版が、該底板部と分離されて形成されていることを特徴とする請求項１〜４のいずれか１項に記載の盛土構造。
【請求項６】
上下に相隣接する２つのユニットにおける上段と下段の発泡ブロックの集合体間に、下段の発泡ブロック上に載置された上段の擁壁構造体の底板部による段差を吸収する厚みの中間発泡板が挟み込まれており、該中間発泡板が、通常ブロックより硬質であることを特徴とする請求項１〜５のいずれか１項に記載の盛土構造。
【請求項７】
上下に相隣接する２つのユニットにおける上段の擁壁構造体の擁壁部に、底板部上面付近に開口する水抜き孔が形成されており、中間発泡板に、底板部上へ水を誘導する通水溝又は通水孔が形成されていることを特徴とする請求項６に記載の盛土構造。
【請求項８】
１又は複数のユニットの擁壁構造体の擁壁部に、底板部上面付近に開口する水抜き孔が形成されており、当該ユニットの発泡ブロックの集合体における最下部に積まれた発泡ブロックが、底板部上面へ水を誘導する通水溝又は通水孔を有する通水ブロックであることを特徴とする請求項１〜５のいずれか１項に記載の盛土構造。
【請求項９】
通水ブロックが硬質ブロックであることを特徴とする請求項８に記載の盛土構造。
【発明の詳細な説明】
【技術分野】
【０００１】
本発明は、例えば山間地の道路の拡幅や宅地の造成などに用いられる盛土構造で、プレキャストコンクリート製の擁壁構造体と、盛土としての合成樹脂発泡体製の発泡ブロックとを用いた盛土構造に関する。
【背景技術】
【０００２】
従来、擁壁部と底板部を有する断面Ｌ字型をなす、プレキャストコンクリート製の擁壁構造体を基礎面上に連続して立設し、立設した擁壁構造体の背面側に合成樹脂発泡体製の発泡体ブロックを積み上げた盛土構造が知られている（例えば、特許文献１参照）。
【０００３】
【特許文献１】特開２００５−１５５１３５号公報
【発明の開示】
【発明が解決しようとする課題】
【０００４】
しかしながら、上記従来の盛土構造の場合、運送や施工上、擁壁構造体の高さには制限があるので、高い擁壁を備えた盛土構造とすることができない問題がある。また、立設した擁壁構造体の擁壁部の上に更に別の擁壁部を連結することも考えられるが、安定して連結するのに手間がかかる問題がある。
【０００５】
本発明は、上記従来の問題点に鑑みてなされたもので、垂直な擁壁部の下端に、少なくとも背面側に水平に突出して設けられた底板部を有し、この底板部を下側にして立設したプレキャストコンクリート製の擁壁構造体の背面側に発泡ブロックを積み上げた盛土構造において、高い擁壁の盛土構造を容易に得られるようにすることを目的とする。
【課題を解決するための手段】
【０００６】
本発明の第１は、擁壁部の下端に、少なくとも背面側に突出して設けられた底板部を下側にして立設された、プレキャストコンクリート製の擁壁構造体と、立設された擁壁構造体の底板部上を含む背面側に積み上げられた発泡ブロックの集合体とで１ユニットを構成する盛土が、上下に複数段重ねられていると共に、発泡ブロックの集合体が、相対的に硬質と軟質の硬質ブロックと通常ブロックで構成されている一方、
上下に相隣接する２つのユニットにおいて、
上段の擁壁構造体は、下段の擁壁構造体の擁壁部の上端との間に隙間を開け、底板部が、下段の擁壁部側から１列目に積まれた発泡ブロック上に載置されて立設されており、少なくとも下段の擁壁部側から１列目に積まれた発泡ブロックの最上部の発泡ブロックが硬質ブロックで、しかも該硬質ブロックの内側端部が上段の擁壁構造体の底板部より内側に突出していることを特徴とする盛土構造を提供するものである。
【０００７】
また、本発明の第２は、擁壁部の下端に、少なくとも背面側に突出して設けられた底板部を下側にして立設された、プレキャストコンクリート製の擁壁構造体と、立設された擁壁構造体の底板部上を含む背面側に積み上げられた発泡ブロックの集合体とで１ユニットを構成する盛土が、上下に複数段重ねられていると共に、発泡ブロックの集合体が、相対的に硬質と軟質の硬質ブロックと通常ブロックで構成されている一方、
上下に相隣接する２つのユニットにおいて、
上段の擁壁構造体は、下段の擁壁構造体の擁壁部の上端との間に隙間を開け、底板部が、下段の擁壁部側から１列目と２列目に積まれた発泡ブロック上に跨って載置されて立設されており、少なくとも下段の擁壁部側から１列目と２列目に積まれた発泡ブロックの最上部の発泡ブロックが硬質ブロックで、しかも該２列目の硬質ブロックの内側端部が上段の擁壁構造体の底板部より内側に突出していることを特徴とする盛土構造を提供するものである。
【０００８】
上記本発明の第１と第２は、少なくとも最下段のユニットの擁壁部側から１列目又は１列目と２列目に積まれた発泡ブロックが総て硬質ブロックであること、
３段以上のユニットが重ねられており、上から２番目のユニット及び該ユニットより下側のユニットの擁壁部側から１列目又は１列目と２列目に積まれた発泡ブロックが総て硬質ブロックであること、
上下に相隣接する２つのユニットにおいて、上段と下段の発泡ブロックの集合体間に、下段の発泡ブロック上に載置された上段の擁壁構造体の底板部による段差を吸収する厚みのコンクリート床版が、該底板部と分離されて形成されていること、
上下に相隣接する２つのユニットにおける上段と下段の発泡ブロックの集合体間に、下段の発泡ブロック上に載置された上段の擁壁構造体の底板部による段差を吸収する厚みの中間発泡板が挟み込まれており、該中間発泡板が、通常ブロックより硬質であること、
上下に相隣接する２つのユニットにおける上段の擁壁構造体の擁壁部に、底板部上面付近に開口する水抜き孔が形成されており、中間発泡板に、底板部上へ水を誘導する通水溝又は通水孔が形成されていること、
１又は複数のユニットの擁壁構造体の擁壁部に、底板部上面付近に開口する水抜き孔が形成されており、当該ユニットの発泡ブロックの集合体における最下部に積まれた発泡ブロックが、底板部上面へ水を誘導する通水溝又は通水孔を有する通水ブロックであること、
通水ブロックが硬質ブロックであること、
をその好ましい態様として含むものである。
【発明の効果】
【０００９】
本発明によれば、複数のユニットを積み重ねることにより、高い擁壁の盛土構造を容易に得ることができる。
【００１０】
特に本発明は、底板部を備えた擁壁構造体が、十分な自立性を得ることができる点に着目してなされたもので、上下に相隣接する２つのユニットにおける上段の擁壁構造体は、その底板部を下段の擁壁部側から１列目又は１列目と２列目に積まれた発泡ブロック上に載置することで、容易に安定した自立状態とすることができる。従って、上段に重ねる擁壁構造体を安定させるための特別な作業が不要で、良好な施工性が得られる。
【００１１】
本発明においては、上下に相隣接する２つのユニットにおける上段の擁壁構造体が、下段の擁壁構造体の擁壁部の上端との間に隙間を開けて立設されている。このため、発泡ブロックが載荷重によって徐々に圧縮されても、この隙間で圧縮による沈下を吸収することができる。このため、発泡ブロックの圧縮沈下に伴って上下の擁壁構造体が直接ぶつかり、荷重が加わって擁壁部が撓んだりクラックが入るなどの問題を防止することができる。
【００１２】
ところで、本発明における擁壁構造体は、上下に相隣接する２つのユニットにおける下段のユニットにおける擁壁部側から１列目又は１列目と２列目に積まれた発泡ブロック上に立設される。このため、この下段の擁壁部側から１列目又は１列目と２列目に積まれた発泡ブロックには、擁壁構造体の荷重が集中して加わり、その他の領域に積まれた発泡ブロックとの圧縮沈下量に差を生じやすい。このため、本発明では、少なくとも擁壁構造体の底板部が載置される、下段の擁壁部側から１列目又は１列目と２列目に積まれた発泡ブロックのうち、最上部の発泡ブロック（擁壁構造体の底板部の下面と接する発泡ブロック）を硬質ブロックとし、しかも該１列目又は２列目の硬質ブロックの内側端部を擁壁構造体の底板部より内側に突出させることで、擁壁構造体の荷重を分散させやすくしているものである。擁壁構造体の荷重を分散させることにより、片寄った圧縮沈下を防止することができる。
【発明を実施するための最良の形態】
【００１３】
以下、図面に基づいて本発明を更に詳細に説明する。
【００１４】
図１は本発明に係る盛土構造の第１の例を示す断面図、図２は図１に示される擁壁構造体の拡大斜視図、図３は１段目のユニットにおける擁壁構造体の上部と２段目のユニットにおける擁壁構造体の下部周りの拡大断面図である。
【００１５】
図中１は擁壁構造体、２は発泡ブロックである。本発明の盛土構造は、立設した１つの擁壁構造体１と、その背面側に積み重ねた発泡ブロック２の集合体とで１ユニットを構成する盛土を、複数段積み重ねた構造となっている。図中Ａは１段目（最下段）のユニット、Ｂは２段目（中間）のユニット、Ｃは３段目（最上段）のユニットを示す。
【００１６】
擁壁構造体１は、図２に明示されるように、垂直な擁壁部３の下端に、背面側に水平に突出して設けられた底板部４を有する断面Ｌ字型をなすものとなっている。この擁壁構造体１は、プレキャストコンクリート製で、擁壁部３の背面と底板部４の上面とに跨って、一連のＬ字型の補強部５が突出している。また、擁壁部３の下端側には、底板部４の上面付近に開口した水抜き孔６が擁壁部３を貫通して形成されている。
【００１７】
本発明の盛土構造においては、全体が均一厚さの擁壁構造体１を用いることもできるが、上記補強部５を設けることでその他の部分の厚さを薄くし、できるだけ軽量化した擁壁構造体１を用いることが好ましい。また、雨水の排出を容易にするため、少なくとの一部の擁壁構造体１は上記水抜き孔６を有するものとすることが好ましい。
【００１８】
擁壁構造体１は、底板部４を下にして設置することで、自立して立設可能なもので、最小限の重量で安定した自立性が得られるよう、底板部４の背面側への突出長さＬが擁壁部３の高さＨの１／４〜１／２であることが好ましい。
【００１９】
図１及び図３に示される発泡ブロック２は、合成樹脂発泡体で形成された平面方形の厚肉の板材で、各擁壁構造体１の底板部４上を含む背面側に積み重ねられている。発泡ブロック２を構成する合成樹脂発泡体としては、例えばポリスチレン、ポリウレタン、ポリ塩化ビニル、フェノール樹脂などの発泡体を用いることができるが、機械的強度に優れ、吸水性も小さいことから、ポリスチレンの発泡体が好ましい。発泡ブロック２は、押出発泡成形されたものでも又はビーズ発泡成形されたものでもよい。
【００２０】
発泡ブロック２としては、相対的に硬質の硬質ブロック２ａと軟質の通常ブロック２ｂが用いられている。硬質ブロック２ａとしては、通常、押出発泡成形した板を複数枚接着又は結束したものが用いられる。通常ブロック２ｂとしては、押出発泡成形した板を複数枚接着又は結束したもの又はビーズ発泡成形したものが用いられる。硬質ブロック２ａは、盛土として一般的に用いられている通常ブロック２ｂよりも硬質のものが好ましく、具体的には許容圧縮応力が６０〜１４０ｋＮ／ｍ2、密度が２４〜２９ｋｇ／ｍ3のものが好ましい。通常ブロック２ｂは、盛土として一般的に用いられているもので、具体的には許容圧縮応力が５０〜７０ｋＮ／ｍ2、密度が２０〜２５ｋｇ／ｍ3のものが好ましい。
【００２１】
本例は、傾斜地に道路を設ける場合の拡幅用の盛土の例で、１段目のユニットＡにおける擁壁構造体１は、底板部４を下側にし、最も谷側寄りに、背面を山側に向けて自立して立設されている。この擁壁構造体１の背面側には、擁壁部３と山側の傾斜面との間に、底板部４上を含めて発泡ブロック２が積み上げられている。１段目のユニットＡにおける擁壁構造体１の設置面は、均した地盤面でもよいが、必要に応じて構築した基礎面とすることもできる。また、図１中の符号７は、発泡ブロックと地盤面間の隙間を埋める充填材（例えば土砂、砂利、砂など）である。
【００２２】
擁壁構造体１の底板部４上に敷設される発泡ブロック２は、底板部４の上面に突出している補強部５間に跨るように直接敷設してもよいが、補強部５間の凹部を、例えば砂利や砂などで埋めてから敷設することもできる。また、補強部５間を合成樹脂発泡体製の板や、この板の下面に後述する通水溝１１（図５参照）と同様の溝を形成したもので埋めてから敷設することもできる。
【００２３】
図１示されるように、２段目のユニットＢにおける擁壁構造体１は、１段目のユニットＡの擁壁構造体１と擁壁部３の位置を上下に揃え、１段目のユニットＡの発泡ブロックの集合体の最も擁壁部３寄りに、底板部４を下側にし、背面を山側に向けて立設されている。２段目のユニットＢの擁壁構造体１の背面側に、底板部４上を含めて、擁壁部３と山側の傾斜面との間に、発泡ブロック２が積み上げられているのは上記１段目のユニットＡと同様である。
【００２４】
図１及び図３に示されるように、２段目のユニットＢにおける擁壁構造体１の底板部４と、１段目のユニットＡにおける擁壁構造体１の擁壁部３の上端との間には隙間８が開けられている。上下の擁壁構造体１間に隙間８を開けておくことにより、載荷重による発泡ブロック２の圧縮沈下を吸収することができる。つまり、発泡ブロック２の圧縮沈下を生じても、隙間８がこれを吸収するので、上側の擁壁構造体１の底板部４が下側の擁壁構造体１の擁壁部３頂部に当接することを防止することができる。従って、発泡ブロック２の圧縮沈下に伴って下側の擁壁構造体１の擁壁部３が上側の擁壁構造体１から荷重を受けて撓んだりクラックが入ってしまうのを防止することができる。隙間８には、上記圧縮沈下に追従可能な目地材を充填しておくことができる。
【００２５】
２段目のユニットＢにおける擁壁構造体１は、上記のように、１段目のユニットＡの発泡ブロックの集合体の最も擁壁部３寄り、具体的には擁壁部３側から１列目に積まれた発泡ブロック２上に立設されている。この擁壁構造体１の荷重は、１段目のユニットＡにおける擁壁部３側から１列目に積まれた発泡ブロック２に集中的に加わる。このため、２段目のユニットＢにおける擁壁構造体１の荷重を安定して分散支持することができるよう、１段目のユニットＡにおける擁壁部３側から１列目に積まれた発泡ブロック２のうち、最上部の発泡ブロック２は硬質ブロック２ａとなっている。また、この硬質ブロック２ａの内側端部は、やはり荷重を安定して分散支持しやすくするために、載置されている擁壁構造体１の底板部４より内側に突出している。なお、内側とは、擁壁構造体１の背面から発泡ブロック２の積み上げ領域側をいう。
【００２６】
１段目のユニットＡにおける発泡ブロック２の集合体と、２段目のユニットＢにおける発泡ブロックＢの集合体の間には、１段目のユニットＡの発泡ブロック２上に、２段目のユニットＢの擁壁構造体１の底板部４が載置されていることによって生じる段差を吸収する厚みの中間発泡板９が挟み込まれている。この中間発泡板９を挟み込ませることで、２段目及び３段目のユニットＢ，Ｃの発泡ブロック２を積み上げやすくなる。また、中間発泡板９は、発泡ブロック２を構成する前述した合成樹脂発泡体と同様の合成樹脂発泡体で形成されたもので、通常ブロック２ｂと同様の硬さのものでもよいが、載荷重を分散支持しやすくするために、硬質ブロック２ａと同様に、通常ブロック２ｂより硬質であることが好ましい。
【００２７】
３段目のユニットＣにおける擁壁構造体１は、２段目のユニットＢにおける擁壁構造体１と擁壁部３の位置を上下に揃え、２段目のユニットＢの発泡ブロックの集合体の擁壁部３側から１列目に積まれた発泡ブロック２上に、底板部４を下側にし、背面を山側に向けて立設されている。３段目のユニットＢの擁壁構造体１の背面側には、底板部４上を含めて、擁壁部３と山側の傾斜面との間に、発泡ブロック２が積み上げられている。これらは前記した２段目のユニットＢと同様である。また、３段目のユニットＣにおける擁壁構造体１の荷重を分散支持することができるよう、２段目のユニットＢにおける擁壁部３側から１列目に積まれた発泡ブロック２のうち、最上部の発泡ブロック２が硬質ブロック２ａで、この硬質ブロック２ａの内側端部が、載置されている擁壁構造体１の底板部４より内側に突出している。これも前記した１段目及び２段目のユニットＡ，Ｂと同様である。
【００２８】
前述した１段目のユニットＡにおける擁壁部３側から１列目に積まれた発泡ブロック２の最上部の硬質ブロック２ａと、２段目のユニットＢにおける擁壁部３側から１列目に積まれた発泡ブロック２の最上部の硬質ブロック２ａとは、同じ硬さでもよいが、荷重が小さくなる２段目のユニットＢの硬質ブロック２ａの許容圧縮応力及び密度を、１段目のユニットＡの硬質ブロック２ａより低くし、コストアップと自重増加を押さえることもできる。
【００２９】
２段目のユニットＢにおける発泡ブロック２の集合体と、３段目のユニットＣにおける発泡ブロックＢの集合体の間には、２段目のユニットＡの発泡ブロック２上に、３段目のユニットＣの擁壁構造体１の底板部４が載置されていることによって生じる段差を吸収する厚みのコンクリート床版１０が形成されている。このコンクリート床版１０を形成することで、３段目のユニットＣの発泡ブロック２が積み上げやすくなる。また、コンクリート床版１０を形成することで、コンクリート床版１０より下側の発泡ブロック２を押さえ付けて安定させることができると共に、載荷重を分散支持しやすくなる。
【００３０】
通常、コンクリート床版１０は、敷き並べられた発泡ブロック２上に配筋してコンクリートを打設し、現場で形成される。従って、擁壁構造体１の底板部４と接続された状態で形成することもできる。しかし、擁壁構造体１付近と、それより内側とで、発泡体ブロック２の圧縮沈下量に差を生じた場合にその歪みが擁壁構造体１に影響しないよう、擁壁構造体１の底板部４と分離して形成することが好ましい。この分離は、コンクリート床版１０の形成時に、擁壁構造体１の底板部４との間にセパレータとして合成樹脂発泡板を挟み込ませてコンクリートを打設することで容易に行うことができる。
【００３１】
本例は３段のユニットＡ，Ｂ，Ｃを積み重ねたものとなっているが、２段又は４段以上とすることができる。
【００３２】
本例においては、１段目と２段目のユニットＡ，Ｂにおける擁壁部３側から１列目に積まれた発泡ブロック２のうち、最上部の発泡ブロック２が硬質ブロック２ａとなっており、その他の発泡ブロック２は通常ブロック２ｂとなっている。しかし、擁壁構造体１の荷重が加わらない最上段（３段目）のユニットＣを除き、上から２番目の２段目のユニットＢ及びこれより下側の１段目のユニットＡにおいては、後述するように、擁壁部３側から１列目に積まれた発泡ブロック２を総て硬質ブロック２ａとし、擁壁構造体１の荷重を支えやすくすることが好ましい場合もある。また、擁壁部３側から１列目に積まれた発泡ブロック２より内側に積まれた発泡ブロック２であっても、やはり後述するように、一部を硬質ブロック２ａとすることが好ましい場合もある。本発明においては、擁壁部３側の端部に積まれた発泡ブロック２より内側に積まれた発泡ブロック２を主に通常ブロック２ｂとし、硬質ブロック２ａの使用範囲を押さえることで、コストアップや全体重量の増加を押さえることができる。
【００３３】
本例においては、１段目のユニットＡと２段目のユニットＢにおける発泡ブロック２の集合体間に中間発泡板９を介在させ、２段目のユニットＢと３段目のユニットＣにおける発泡ブロック２の集合体間にコンクリート床版１０を介在させているが、両者の位置は逆にすることもできる。また、上記発泡ブロック２の集合体間にレベル合わせの土砂や砂などを敷設することで、中間発泡板９とコンクリート床版１０を省略したり、いずれか一方のみとすることもできる。
【００３４】
第１の例は、擁壁部３側から１列目に積まれた発泡ブロック２上に、底板部４を載置して擁壁構造体１を立設したものとなっている。しかし、発泡ブロック２の大きさによっては、擁壁部３側から１列目と２列目に積まれた発泡ブロック２上に跨って底板部４を載置して擁壁構造体１を立設する場合もある。このような場合、上下に相隣接する２つのユニット（例えば図１における１段目のユニットＡと２段目のユニットＢ、又は、２段目のユニットＢと３段目のユニットＣ）において、少なくとも下段の擁壁部３側から１列目と２列目に積まれた発泡ブロック２の最上部の発泡ブロック２を硬質ブロック２ａとし、該２列目の硬質ブロック２ａの内側端部を上段の擁壁構造体１の底板部４より内側に突出させておくことになる。
【００３５】
次に、図４及び図５に基づいて本発明に係る盛土構造の第２の例を説明する。
【００３６】
図４は本発明に係る盛土構造の第２の例を示す断面図、図５は図４に示される通水ブロックの底面側からの拡大斜視図である。また、図４及び図５において図１〜図３と同じ符号は同様の部材又は部位を示す。
【００３７】
本例の盛土構造は基本的には前述の第１の例と同様であるが、各段のユニットＡ〜Ｃの発泡ブロックの集合体における最下部に積まれた発泡ブロック２が、図５に示されるような通水溝１１を下面に有する通水ブロック１２となっている点が相違している。通水溝１１は、擁壁構造体１の底板部４上面へ水を誘導するもので、雨水を擁壁構造体１の水抜き孔６から排出しやすくするためのものである。通水ブロック１２は、水抜き孔６を有する擁壁構造体１とセットで用いられる。また、通水ブロック１２としては、上記通水溝１１を有するものの他、擁壁構造体１の底板部４上面へ水を誘導する貫通孔である通水孔を有するものとすることもできる。
【００３８】
通水ブロック１２は、雨水の排出を促す上で設けることが好ましいが、各段のユニットＡ〜Ｃについて設けなければならないものではなく、必要に応じて、１又は複数のユニットＡ，Ｂ又はＣに設けることができる。特に中間発泡板９やコンクリート床版１０を設けた場合には雨水が溜まりやすいので、通水ブロック１２を設けることが好ましい。
【００３９】
通水ブロック１２は、通常ブロック２ａに通水溝１１や通水孔を設けたものとすることもできるが、通水溝１１や通水孔を形成することによる強度低下を抑制するため、硬質ブロック２ａに通水溝１１や通水孔を形成したものとすることが好ましい。また、中間発泡板９を用いる場合、この中間発泡板９の上面に、同じ目的で通水溝１１を形成したり、通水孔を形成しておくこともできる。
【００４０】
図６及び図７に基づいて本発明に係る盛土構造の第３の例を説明する。
【００４１】
図６は本発明に係る盛土構造の第３の例を示す断面図、図７は図６に示される擁壁構造体の拡大斜視図である。また、図６及び図７において図１〜図３と同じ符号は同様の部材又は部位を示す。
【００４２】
本例の盛土構造は基本的には前述の第１の例と同様であるが、垂直な擁壁部３の下端に、前面側と背面側の両者に水平に突出して設けられた底板部４を有する断面Ｔ字型をなす擁壁構造体１’を用いたものとなっている。本例のように、底板部４が両側に突出した擁壁構造体１’を用いた場合、得られる盛土の擁壁面に底板部４の前面側が突出するので、これを擁壁面の緑化を行う際の棚などとして利用することができる。
【００４３】
上記断面Ｔ字型の擁壁構造体１’は、特に１段目（最下段）のユニットＡに使用する場合、安定した自立性が得やすい利点がある。従って、本例のように総て断面Ｔ字型の擁壁構造体１’とせずに、１段目のユニットＡに断面Ｔ字型の擁壁構造体１’、その外のユニットＢ，Ｃには前述の断面Ｌ字型の擁壁構造体１とするなど、両者を混在させて使用することもできる。また、上記断面Ｔ字型の擁壁構造体１’とする場合、２段目より上側での自立性を損なわないよう、底板部４の前面側への突出長さＬ’は、底板部４の背面側への突出長さＬの１／３〜１／５であることが好ましい。また、断面Ｔ字型の擁壁構造体１’における底板部４の背面側への突出長さＬと、擁壁部３の高さＨとの関係は前述の断面Ｌ字型の擁壁構造体１と同様であることが好ましい。
【００４４】
更に、図８に基づいて本発明に係る盛土構造の第４の例を説明する。
【００４５】
図８は本発明に係る盛土構造の第４の例を示す断面図である。また、図８において図１〜図３と同じ符号は部材又は部位を示す。
【００４６】
本例の盛土構造は基本的には前述の第１の例と同様であるが、１段目（最下段）のユニットＡにおいて、擁壁部３側から１列目に積まれた発泡ブロック２が総て硬質ブロック２ａとなっている。１段目のユニットＡにおける擁壁部３側から１列目に積まれた発泡ブロック２には、２段目のユニットＢ及び３段目のユニットＣの擁壁構造体１の荷重が加わることから、この部分の耐圧縮強度を高め、不等沈下を防止できるようにしたものである。併せて、２段目のユニットＢにおける擁壁部３側から１列目に積まれた発泡ブロック２を総て硬質ブロック２ａとすることもできる。この場合、１段目で使用する硬質ブロック２ａより２段目で使用する硬質ブロック２ａの許容圧縮応力及び密度を低くし、コストアップと自重増加を押さえることもできる。
【００４７】
擁壁部３側から１列目と２列目に積まれた発泡ブロック２上に跨って底板部４を載置して擁壁構造体１を立設する場合、１段目（最下段）のユニットＡにおいて、擁壁部３側から１列目と２列目に積まれた発泡ブロック２を総て硬質ブロック２ａとすることが好ましい。また、併せて、２段目のユニットＢにおける擁壁部３側から１列目と２列目に積まれた発泡ブロック２を総て硬質ブロック２ａとすることも好ましい。３段以上のユニットを重ねる場合、上から２番目のユニット及び該ユニットより下側のユニットの擁壁部側から１列目又は１列目と２列目に積まれた発泡ブロック２を総て硬質ブロック２ａとすることが好ましい。
【図面の簡単な説明】
【００４８】
【図１】本発明に係る盛土構造の第１の例を示す断面図である。
【図２】図１に示される擁壁構造体の拡大斜視図である。
【図３】１段目のユニットにおける擁壁構造体の上部と２段目のユニットにおける擁壁構造体の下部周りの拡大断面図である。
【図４】本発明に係る盛土構造の第２の例を示す断面図である。
【図５】図４に示される通水ブロックの底面側からの拡大斜視図である。
【図６】本発明に係る盛土構造の第３の例を示す断面図である。
【図７】図６に示される擁壁構造体の拡大斜視図である。
【図８】本発明に係る盛土構造の第４の例を示す断面図である。
【符号の説明】
【００４９】
１    擁壁構造体
１’  擁壁構造体
２    発泡ブロック
２ａ  硬質ブロック
２ｂ  通常ブロック
３    擁壁部
４    底板部
５    補強部
６    水抜き孔
７    充填材
８    隙間
９    中間発泡板
１０  コンクリート床版
１１  通水溝
１２  通水ブロック
Ａ    １段目（最下段）のユニット
Ｂ    ２段目（中間）のユニット
Ｃ    ３段目（最上段）のユニット
【図１】
0004575945.tif 000002
【図２】
0004575945.tif 000003
【図３】
0004575945.tif 000004
【図４】
0004575945.tif 000005
【図５】
0004575945.tif 000006
【図６】
0004575945.tif 000007
【図７】
0004575945.tif 000008
【図８】
0004575945.tif 000009